(57)【特許請求の範囲】
【請求項１】
被洗浄車両を洗浄ブラシで洗浄する車両洗浄位置への、前記被洗浄車両の進入路に、前記被洗浄車両の底面へ洗浄水を噴射する底面洗浄装置を設けた洗車機において、
前記底面洗浄装置よりも上側に配置したノズルを有して、そのノズルより噴射される洗浄水を前記被洗浄車両の上面に散布するシャワー装置を前記進入路に備え、
前記シャワー装置のノズルは、前記被洗浄車両の進行方向で前記底面洗浄装置のノズルよりも前側に配置されており、
前記底面洗浄装置から噴射される洗浄水で前記被洗浄車両の底面を洗浄した後に、その底面洗浄装置の、前記底面に当たって飛散する洗浄水に含まれて前記被洗浄車両の上面および側面に付着した砂等の汚染体を、前記シャワー装置が散布する洗浄水で除去するようにしたことを特徴とする洗車機。
【請求項２】
前記底面洗浄装置の前記ノズルからは高圧水が、また前記シャワー装置のノズルからは前記高圧水よりも低圧の中圧水がそれぞれ噴射されることを特徴とする、請求項１に記載の洗車機。
【請求項３】
前記シャワー装置は、前記洗浄ブラシを装備した洗車機本体から分離独立して設置面に設けられることを特徴とする、請求項１又は２に記載の洗車機。
【発明の詳細な説明】
【技術分野】
【０００１】
本発明は、被洗浄車両の底面を洗浄する底面洗浄装置を備えた洗車機に関し、特に、その底面洗浄装置から飛散する洗浄水に含まれる砂や泥などの汚染体により、車両の塗装面が汚損されることがないようにした、洗車機に関する。
【背景技術】
【０００２】
従来、被洗浄車両を洗浄ブラシで洗浄する車両洗浄位置への、前記車両の進入路に底面洗浄装置を設け、この底面洗浄装置で、被洗浄車両の底面へ洗浄水を噴射してその底面を洗浄するようにした洗車機は公知である（たとえば後記特許文献１参照）。
【先行技術文献】
【特許文献】
【０００３】
【特許文献１】特開昭６０−９２１４１号公報
【発明の概要】
【発明が解決しようとする課題】
【０００４】
しかしながら、上記従来の洗車機は、底面洗浄水による車両底面の洗浄時に、底面洗浄水の中に、被洗浄車両の底面に付着していた砂や泥などの汚染体が混入し、この汚染体の含まれる洗浄水が飛散して車両の上面および側面に付着し、その汚染体が洗浄ブラシで車両の塗装面に擦り付けられて、その塗装面を汚損する虞があるという問題があった。
【０００５】
本発明は、上記問題に鑑みてなされたもので、飛散する底面洗浄水に含まれる前記汚染体が洗浄ブラシで、被洗浄車両の塗装面に擦り付けられるのを防止して、前記問題を解決できるようにした、新規な洗車機を提供することを目的とする。
【課題を解決するための手段】
【０００６】
前記目的達成のため、請求項１の発明は、被洗浄車両を洗浄ブラシで洗浄する車両洗浄位置への、前記被洗浄車両の進入路に、前記被洗浄車両の底面へ洗浄水を噴射する底面洗浄装置を設けた洗車機において、前記底面洗浄装置よりも上側に配置したノズルを有して、そのノズルより噴射される洗浄水を前記被洗浄車両の上面に散布するシャワー装置を前記進入路に備え、前記シャワー装置のノズルは、前記被洗浄車両の進行方向で前記底面洗浄装置のノズルよりも前側に配置されており、前記底面洗浄装置から噴射される洗浄水で前記被洗浄車両の底面を洗浄した後に、その底面洗浄装置の、前記底面に当たって飛散する洗浄水に含まれて前記被洗浄車両の上面および側面に付着した砂等の汚染体を、前記シャワー装置が散布する洗浄水で除去するようにしたことを特徴としている。
【０００７】
また請求項２の発明は、請求項１の発明の前記特徴に加えて、前記底面洗浄装置の前記ノズルからは高圧水が、また前記シャワー装置のノズルからは前記高圧水よりも低圧の中圧水がそれぞれ噴射されることを特徴とする。
【０００８】
また請求項３の発明は、請求項１又は２の発明の前記特徴に加えて、前記シャワー装置は、前記洗浄ブラシを装備した洗車機本体から分離独立して設置面に設けられることを特徴とする。
【発明の効果】
【０００９】
請求項１の発明によれば、底面洗浄装置よりも上側に配置したノズルを有して、そのノズルより噴射される洗浄水を被洗浄車両の上面に散布するシャワー装置を備え、そのシャワー装置のノズルは、被洗浄車両の進行方向で底面洗浄装置のノズルよりも前側に配置されており、底面洗浄装置から噴射される洗浄水で被洗浄車両の底面を洗浄した後に、その被洗浄車両の底面に当たって飛散する底面洗浄水に含まれて被洗浄車両の上面および側面に付着した砂等の汚染体を、シャワー装置が散布する洗浄水で除去するようにしたので、飛散する底面洗浄水に含まれる、底面洗浄車両の底面に付着していた砂や泥などの汚染体が、洗浄ブラシでその車両の塗装面に擦り付けられるのを防止できる。
【図面の簡単な説明】
【００１０】
【図１】洗車機の全体平面図
【図２】洗車機の全体側面図
【図３】図２の３−３線に沿う拡大断面図
【図４】シャワー装置の全体展開図
【図５】洗車機の洗浄行程図
【発明を実施するための形態】
【００１１】
本発明の実施の形態を、添付図面に例示した本発明の実施例に基づいて以下に具体的に説明する。
【００１２】
図１，２において、洗車機の洗車機本体１は、被洗浄車両としての自動車Ｖを跨ぎ得る門型フレーム２を備え、この門型フレーム２に設けられた左右一対の前車輪３，３および左右一対の後車輪４，４は、設置面Ｆに設けられた左右一対の走行レール５，５上を往復走行する。前車輪３，３には、洗車機本体１に設けた走行モータ６，６が連結され、これらの走行モータ６，６を駆動して門型フレーム２を一対の走行レール５，５上を往復走行させることができる。
【００１３】
洗車機本体１の設置面Ｆ上には、スタート位置カム７が設けられている。また、門型フレーム２には、スタート位置カム７に当たって洗車機本体１がスタート位置１Ａにあることを検出するスタート位置検出スイッチ８が設けられている。
【００１４】
門型フレーム２には、被洗浄車両としての自動車Ｖの上面を洗浄するトップブラシ９、自動車Ｖの左右両側面を洗浄する、左右一対のサイドブラシ１０，１０、自動車Ｖの上面を乾燥するトップノズル１１および自動車Ｖの側面を乾燥する左右一対のサイドノズル１２，１２、自動車Ｖに洗浄水を噴射する、入口散水装置１３および出口散水装置１４が設けられている。
【００１５】
前記入口散水装置１３、トップブラシ９、サイドブラシ１０，１０、出口散水装置１４、トップノズル１１およびサイドノズル１２，１２は、洗浄手段を構成して、門型フレーム２の前部から後部に向けてこの順で配置されている。
【００１６】
走行レール５，５間において、車両洗浄位置Ｖ２には、ストッパ１５と車輪検出手段としての光電センサ１６とが互いに近づけて設けられている。
【００１７】
光電センサ１６は投光器１６ａと受光器１６ｂとからなり、１６ｃ（一点鎖線）は光電センサ１６の光軸を表している。
【００１８】
そして、自動車Ｖの右前輪タイヤＴをストッパ１５に当てて停止させることにより、その自動車Ｖを車両洗浄位置Ｖ２に停止させることができるようになっている。
【００１９】
また、光電センサ１６は、自動車Ｖの右車輪を検出することで、自動車Ｖが車両洗浄位置Ｖ２に停止したことを検出できるようになっている。
【００２０】
一対の走行レール５，５の一方の端部（図１，２の右端部）間には、車両入口ＥＮが、また一対の走行レール５，５の他方の端部（図１，２左端部）間には、車両出口ＥＸがそれぞれ設定されている。車両入口ＥＮの前方には、門型に形成されるシャワーゲート２２が設置され、また、シャワーゲート２２の前方には、遮断機２３が設置され、さらに、遮断機２３の前方一側には、受付装置２４が設置されている。
【００２１】
受付装置２４には、料金受入装置３５、スタートキー３６、フェンダーポール、キャリヤなどの、自動車Ｖの車体面より外部に突出する付属機器の回避動作を行なわせる回避キー３７1 ，３７2 ・・・および後述する、シャワー装置２９と底面洗浄装置２５による洗浄を行なわせるときに押すシャワーキー６０が設けられている。
【００２２】
また、前記車両出口ＥＸの側方には、出口案内表示器２６が設置されている。
【００２３】
前記シャワーゲート２２には、シャワー装置２９および車両検出手段としての光電センサー３０が設けられている。
【００２４】
光電センサ３０は、投光器３０ａと受光器３０ｂとからなる。３０ｃ（一点鎖線）は、光電センサ３０の光軸を表している。
【００２５】
前記シャワーゲート２２の下部には、自動車Ｖの底面を洗浄する底面洗浄装置２５が設置されている。
【００２６】
前記シャワーゲート２２の下方の設置面Ｆには、そのシャワーゲート２２の幅方向に沿ってピット４１が設けられ、このピット４１内に、前記底面洗浄装置２５が配置されている。
【００２７】
図３に示すように、ピット４１の開口面には、蓋４２が被せられている。蓋４２には、ノズル２５ｎに対応する位置に複数の穴４３が開けられており、後述するノズル２５ｎから噴射する高圧水Ｊ２は、穴４３を通過してシャワーゲート２２内に噴射される。
【００２８】
図１，２に示すように、門型フレーム２の前部一側には、制御盤２７が設けられ、制御盤２７の中には、洗車機を制御する制御装置２８が配置されている。
【００２９】
つぎに、図４を参照して、入口散水装置１３、出口散水装置１４、シャワー装置２９および底面洗浄装置２５の水配管系について説明する。
【００３０】
門型フレーム２に設けられる入口散水装置１３は、門型に形成される入口散水配管１３ｐを備え、この入口散水配管１３ｐの上部および左右側部には、門型フレーム２の内方に噴口を向けた複数のノズル１３ｎが設けられている。
【００３１】
門型フレーム２に設けられる出口散水装置１４は、門型に形成される出口散水配管１４ｐを備え、この出口散水配管１４ｐの上部および左右側部には、門型フレーム２の内方に噴口を向けた複数のノズル１４ｎが設けられている。
【００３２】
シャワーゲート２２に設けられるシャワー装置２９は、上部シャワー配管２９Ａｐ、左右側部シャワー配管２９Ｂｐ，２９Ｂｐを備え、それらの配管２９Ａｐ，２９Ｂｐ，２９Ｂｐには、シャワーゲート２２の内方に噴口を向けた複数のノズル２９Ａｎ，２９Ｂｎ，２９Ｂｎがそれぞれ設けられている。
【００３３】
底面洗浄装置２５は、ピット４１内に配管される底面配管２５ｐを備え、この底面配管２５ｐには、上方、すなわちシャワーゲート２２の内方に噴口を向けた複数のノズル２５ｎが設けられている。而して、前記シャワー装置２９の複数のノズル２９Ａｎ，２９Ｂｎ，２９Ｂｎは、自動車Ｖの進行方向（図１，２で左方向）で底面洗浄装置２５のノズル２５ｎよりも前側（図１，２で左側）に配置される。
【００３４】
入口散水配管１３ｐは、洗剤混合器３１を介して給水配管３２に接続されている。給水配管３２は、水槽３３内に浸漬される低圧ポンプＰ１の吐出口に接続されており、水槽３３内には、水道水が貯められている。
【００３５】
洗剤混合器３１には、洗剤ポンプＰ４を介して洗剤タンク３４に接続されており、洗剤タンク３４には、洗剤が貯められている。
【００３６】
出口散水配管１４ｐは、給水配管３２に接続されている。
【００３７】
しかして、低圧ポンプＰ１を駆動すると、ノズル１３ｎおよびノズル１４ｎから水槽３３内の水を噴射することができ、このときに、洗剤ポンプＰ４を駆動すると、ノズル１３ｎから洗剤水を噴射することができる。
【００３８】
シャワー装置２９の上部シャワー配管２９Ａｐは、開閉弁５２を介してシャワー給水配管５１に接続され、一方、その左右の側部シャワー配管２９Ｂｐ，２９Ｂｐは、シャワー給水配管５１に直接接続されている。シャワー給水配管５１は、中圧ポンプＰ２の吐出口に接続されており、中圧ポンプＰ２の吸込口は、水槽３３内の水道水内に開口している。      
【００３９】
しかして、中圧ポンプＰ２を駆動すると、ノズル２９Ｂｎ，２９Ｂｎから中圧水Ｊ１を噴射することができ、開閉弁５２を開弁すると、ノズル２９Ａｎからも中圧水Ｊ１を噴射することができる。
【００４０】
また、ノズル２９Ａｎ，２９Ｂｎ，２９Ｂｎからの中圧水Ｊ１を、洗浄する自動車Ｖに向けて噴射するときに、その中圧水Ｊ１が自動車Ｖの運転者の視界を遮るため、自動車Ｖを運転して中圧水Ｊ１を通過するのが怖いという顧客ニーズの洗車場は、開閉弁５２の開度を絞ってノズル２９Ａｎから噴射する中圧水Ｊ１の水量を少なくすることにより、前記運転者の視界を妨げるのを防止する。これにより、ノズル２９Ｂｎ，２９Ｂｎから噴射する中圧水Ｊ１の洗浄力を落とさずに運転者の視界をよくすることができる。
【００４１】
また、ノズル２９Ａｎ，２９Ｂｎ，２９Ｂｎから噴射する中圧水Ｊ１で、洗浄する自動車Ｖに乗車している人の視界を遮ることが、アトラクション的なショー効果を楽しめるという顧客ニーズの洗車場は、開閉弁５２の開度を大きくして、ノズル２９Ａｎから噴射する中圧水Ｊ１の水量を多くすることにより、前記ショー効果を高める。これにより、ノズル２９Ｂｎ、２９Ｂｎから噴射する中圧水Ｊ１の水量を増加させずに前記ショー効果を高めることができる。
【００４２】
底面洗浄装置２５の底面配管２５ｐには、高圧ポンプＰ３の吐出口が接続され、この高圧ポンプＰ３の吸込口は、水槽３３の水道水内に開口している。そして、高圧ポンプＰ３を駆動すると、ノズル２５ｎから高圧水Ｊ２をシャワーゲート２２内に噴射することができる。
【００４３】
つぎに、図１〜４に、図５を併せ参照して、この実施例の作用を説明する。
【００４４】
(1) 図１，２に示すように、洗車機本体１が走行レール５，５の左端のスタート位置１Ａにあり、遮断機２３が閉じた状態になっているとする。
【００４５】
自動車Ｖの運転者が、受付装置２４の横の受付位置Ｖ１に自動車Ｖを停止させ、料金受入装置３５に所定の料金を入れ、つぎにシャワーキー６０を押す。ついで、自動車Ｖにフェンダーポールやキャリヤなどの車体面より突出する付属機器が装着されているときは、該当する回避キー３７1 ，３７2 ・・・を押し、つぎに、スタートキー３６を押す。スタートキー３６が押されると、制御装置２８は、遮断機２３を開ける。
【００４６】
遮断機２３が開くと、運転者は、自動車Ｖを車両洗浄位置Ｖ２へゆっくりと前進させる。
【００４７】
(2) 自動車Ｖの前端が光電センサ３０を遮光すると（図５（Ａ）参照）、制御装置２８は、高圧ポンプＰ３および中圧ポンプＰ２を駆動する。これによりノズル２９Ｂｎ，２９Ｂｎから中圧水Ｊ１が噴射され、さらに開閉弁５２の開弁により、ノズル２９Ａｎからも中圧水Ｊ１が噴射されると共にノズル２５ｎから高圧水Ｊ２が噴射される。
【００４８】
(3) 自動車Ｖが前進を継続してノズル２９Ａｎ，２９Ｂｎ，２９Ｂｎの位置に達すると（図５（Ｂ）参照）、ノズル２９Ａｎ，２９Ｂｎ，２９Ｂｎから噴射された中圧水Ｊ１による自動車Ｖの上面および側面の洗浄が始まる。またノズル２５ｎから噴射された高圧水Ｊ２による自動車Ｖの底面の洗浄が始まる。
【００４９】
そして、自動車Ｖの前進継続に伴って、自動車Ｖの前端から後端へと前記中圧水Ｊ１および高圧水Ｊ２による洗浄が継続される。
【００５０】
(4) 自動車Ｖの前進により、その後端が光電センサ３０を通過し、光電センサ３０が透過になると、（図５（Ｃ）参照）、制御装置２８は、遮断機２３を閉じる。
【００５１】
(5) 前記(4) の自動車Ｖの後端が光電センサ３０を通過したときから、自動車Ｖの後端がノズル２９Ａｎ，２９Ｂｎ，２９Ｂｎを通過したとする所定時間が経過すると（図５（Ｄ）参照）、制御装置２８は、高圧ポンプＰ２および中圧ポンプＰ３を停止させる。
【００５２】
(6) 自動車Ｖの前進継続により、自動車Ｖが車両洗浄位置Ｖ２に達し、右前輪タイヤＴをストッパ１５に当てて停止する。これにより、光電センサ１６が所定時間継続して遮光されると、自動車Ｖが車両洗浄位置Ｖ２に停止したとして、制御装置２８は、洗車機本体１をスタート位置１Ａと、洗車機本体１が自動車Ｖを通過した折り返し位置１Ｂ（図１，２鎖線位置）との間を１．５往復させて、洗車機本体１に設けた洗浄手段により自動車の洗車を行なわせる。
【００５３】
なお、運転者は洗車が終了するまで、自動車Ｖに乗ったままでいる。
【００５４】
洗車機本体１の第１往行時に、入口散水装置１３のノズル１３ｎから自動車Ｖの車体面に洗剤水を散布しながら、昇降制御されるトップブラシ９、左右方向の往復制御されるサイドブラシ１０，１０で、洗剤水を散布された自動車Ｖの車体面をブラシング洗浄し、そのブラシング洗浄した車体面を出口散水装置１４のノズル１４ｎから散布する水ですすぐ。
【００５５】
洗車機本体１の第１復行時に、ノズル１４ｎから自動車Ｖの車体面に水を散布しながら前記トップブラシ９、サイドブラシ１０，１０で自動車Ｖの車体面をブラシング洗浄し、そのブラシング洗浄した車体面を、洗剤ポンプＰ４を停止させてノズル１３ｎから噴射される水を散布してすすぐ。
【００５６】
洗車機本体１の第２往行時に、入口散水装置１３および出口散水装置１４の散布と、トップブラシ９，サイドブラシ１０，１０の作動とを共に停止させて、トップノズル１１、サイドノズル１２，１２で自動車Ｖの車体面の乾燥を行なう。そして、洗車機本体１の第２往行により、洗車機本体１が折り返し位置１Ｂに達すると、往行を停止して洗車を終了する。
【００５７】
洗車が終了すると、運転者は出口案内装置２６の案内により、自動車Ｖを車両出口ＥＸから退場させる。
【００５８】
自動車Ｖが退場すると、制御装置２８は、洗車機本体１をスタート位置１Ａへ復帰させる。
【００５９】
ところで、前記(3) 〜(5) において、ノズル２９Ａｎ、２９Ｂｎ，２９Ｂｎから噴射する中圧水Ｊ１およびノズル２５ｎから噴射する高圧水Ｊ２とで自動車Ｖの上面、側面および底面を洗浄するときに、自動車Ｖの底面に当たり、その底面を洗浄した高圧水Ｊ２が自動車Ｖの底面に付着していた砂や泥などの汚染体を含んで飛散する。そして、自動車Ｖの上面および側面の塗装面、特に、その塗装面が乾いているとすれば、それらの塗装面に前記汚染体が付着して、それらの面を汚損する。
【００６０】
しかして、この実施例では、自動車Ｖの底面洗浄時に、中圧水Ｊ１で前記塗装面を積極的に濡らすことができ、これにより、前記飛散した高圧水Ｊ２に含まれる前記汚染体が、乾いた塗装面に付着するのを未然に防止することができ、前記塗装面に付着した汚染体を前記中圧水Ｊ１により容易に除去することができる。
【００６１】
以上のように、前記飛散した高圧水Ｊ２に含まれて前記塗装面に付着した汚染体を、中圧水Ｊ１で容易に除去することができるので、飛散した高圧水Ｊ２により前記塗装面に付着した前記汚染体がその塗装面に残るのを防止できる。
【００６２】
したがって、前記(6) におけるブラシング洗浄時に、飛散した高圧水Ｊ２に含まれる自動車Ｖの底面に付着していた砂や泥などの汚染体をトップブラシ９、サイドブラシ１０，１０で擦り付けることを防止できる。
【００６３】
また中圧水Ｊ１による洗浄後の前記塗装面に残った、飛散した高圧水Ｊ２に含まれる自動車Ｖの底面に付着していた前記汚染体は、前記(6) におけるノズル１３ｎから散布する洗浄水で容易に除去できる。これによっても、前記(6) におけるブラシング洗浄時に、飛散した高圧水Ｊ２に含まれる被洗浄車両としての自動車の底面に付着していた砂や泥などの汚染体を、トップブラシ９、サイドブラシ１０，１０で、塗装面に擦り付けることを防止できる。
【００６４】
以上、本発明の実施例について説明したが、本発明はその実施例に限定されることなく、本発明の範囲内で種々の実施例が可能である。たとえば、前記実施例では、停止している、被洗浄車両としての自動車に対して洗車機本体を移動させるようようにした移動式洗車機に本発明を実施した場合について説明したが、洗車機本体に対して被洗浄車両を、コンベアなどの移送手段により移動させるようにした洗車機にも実施することができる。
【符号の説明】
【００６５】
９・・・・・・・・・洗浄ブラシ（トップブラシ）
１０・・・・・・・・洗浄ブラシ（サイドブラシ）
２５・・・・・・・・底面洗浄装置
２５ｎ・・・・・・・底面洗浄装置のノズル
２９・・・・・・・・シャワー装置
２９Ａｎ・・・・・・シャワー装置のノズル
２９Ｂｎ・・・・・・シャワー装置のノズル
Ｖ・・・・・・・・・被洗浄車両（自動車）
Ｖ２・・・・・・・・車両洗浄位置
【図１】
0005473562.tif 000002
【図２】
0005473562.tif 000003
【図３】
0005473562.tif 000004
【図４】
0005473562.tif 000005
【図５】
0005473562.tif 000006